(57)【特許請求の範囲】
【請求項１】
順次継ぎ足しが可能で、上下方向に所定の間隔で孔付きフランジを固定した支柱を足場板の架設間隔で立設し、隣り合う支柱間に足場板を架設して足場を組み立てるにあたり、支柱の孔付きフランジを利用して、既設の下段側足場板から新設する上段側足場板の先行手摺りとして支柱間に取り付ける安全手摺りにおいて、
水平材と、水平材の両端部に夫々の一端部が枢着され、互いに交差する一対の斜材とからなり、水平材と斜材との各枢着端部には斜材側端部に係止フックを設け、この係止フックの先端部がフランジの孔に対し上方より挿脱自在な挿入片を形成し、この挿入片には、水平材に下向きの荷重が負荷された時に水平材が撓んで係止フックが水平方向に変位することによりフランジの孔の周縁に係止して孔からの挿入片の抜け出しを阻止する係止段部を設け、各斜材の他端部にはフランジに固定可能な固定金具を備えてなる安全手摺り。
【請求項２】
前記挿入片は、板状フック本体の先端側に突設された軸状体で、上部側の径小軸部と下部側の径大軸部とからなり、径小軸部と径大軸部との間に係止段部を形成してなる請求項１に記載の安全手摺り。
【請求項３】
前記径大軸部の下部側に下窄まりテーパ状の挿入ガイド部を形成してなる請求項２に記載の安全手摺り。
【請求項４】
前記挿入片は、板状フック本体の先端側に突設された軸状体からなり、この軸状体の上部側内側面所要部を所要深さだけ切除することによって上部側の径小軸部を形成し、その下部側を下部側径大軸部とし、径小軸部と径大軸部との間に係止段部を形成してなる請求項２又は３に記載の安全手摺り。
【請求項５】
前記挿入片は、板状フック本体の先端側に一体に延設された板状部からなり、この先端側板状部の内側端面の所要部位に係止段部を形成してなる請求項１に記載の安全手摺り。
【請求項６】
前記係止段部の下部側に幅の狭くなった挿入ガイド部を形成してなる請求項５に記載の安全手摺り。
【請求項７】
前記固定金具は、フランジに掛止可能なコ字状枠片と、フランジに掛止されたコ字状枠片の上方よりコ字状枠片及びフランジの孔を貫通して打ち込まれる楔片とからなる請求項１〜６の何れかに記載の安全手摺り。
【発明の詳細な説明】
【技術分野】
【０００１】
本発明は、建設作業現場において、順次継ぎ足しが可能で、上下方向に所定間隔おきに孔付きフランジを固定した支柱を足場板の架設間隔で立設し、隣り合う支柱間に足場板を架設して足場を組み立てるにあたり、支柱の孔付きフランジを利用して、既設の下段側足場板から、新設する上段側足場板の先行手摺りとして支柱間に取り付ける安全手摺りに関するものである。
【背景技術】
【０００２】
従来の安全手摺りとして、特許公報等の公知文献を具体的に挙げることはできないが、水平材と、水平材の両端部に夫々の一端部が枢着され、互いに交差する一対の斜材とからなり、水平材の両端部に夫々支柱のフランジの孔に係止可能な略Ｌ字状のフックを設け、各斜材の他端部に、支柱のフランジに固定可能な固定金具を備えてなるものがある。
【０００３】
上記安全手摺りは、取付前は、両斜材を水平材に沿うように折り畳んで収納状態としておく。そして使用に際し、既に架設した下段側足場板上において、作業者が一方の斜材を立ち上げて、水平材の一端部にあるフックを、これから新たに架設される上段側足場板の架設位置にある一方の支柱のフランジの孔に係止した後、他方の斜材を立ち上げて、水平材の他端部にあるフックを他方の支柱のフランジの孔に係止し、その後に両斜材を交差させて、両斜材の夫々他端部の固定金具を両支柱の所要位置にあるフランジの孔に固定するようになっている。
【発明の開示】
【発明が解決しようとする課題】
【０００４】
ところで、作業者は、高所での作業の安全を図るため、自分の身に付けた安全帯を上記のように取り付けた安全手摺りの水平材につないで作業を行なっているが、その作業中に作業者が足を滑らせるなどして足場板から墜落状態となり、水平材に下向きの衝撃荷重が負荷されると、水平材が撓んで水平材の端部が水平方向に変位して持ち上げられることによって、水平材の端部にあるフックの係止部分がフランジの孔から抜け出て、安全手摺りが支柱から外れるおそれがあった。
【０００５】
本発明は、上記の事情に鑑み、水平材に下向きの荷重が負荷されても、フックが支柱側のフランジ孔から抜け出すことがなく、作業の安全性を確保できる安全手摺りを提供することを目的としている。
【課題を解決するための手段】
【０００６】
上記課題を解決するための手段を、後述する実施形態の参照符号を付して説明すると、請求項１に係る発明は、順次継ぎ足しが可能で、上下方向に所定の間隔で孔４ａ付きフランジ４を固定した支柱２を足場板３の架設間隔で立設し、隣り合う支柱２，２間に足場板３を架設して足場を組み立てるにあたり、支柱２の孔４ａ付きフランジ４を利用して、既設の下段側足場板３から新設する上段側足場板３の先行手摺りとして支柱２，２間に取り付ける安全手摺りにおいて、
水平材５と、水平材５の両端部に夫々の一端部が枢着され、互いに交差する一対の斜材６，７とからなり、水平材５と斜材６，７との各枢着端部には斜材６，７側端部に係止フック８を設け、この係止フック８の先端部がフランジ４の孔４ａに対し上方より挿脱自在な挿入片９を形成し、この挿入片９には、水平材５に下向きの荷重が負荷された時に水平材５が撓んで係止フック８が水平方向に変位することによりフランジ孔４ａの周縁４ａｏに係止して孔４ａからの挿入片９の抜け出しを阻止する係止段部１０を設け、各斜材６，７の他端部にはフランジ４に固定可能な固定金具１２を備えてなることを特徴とする。
【０００７】
請求項２は、請求項１に記載の安全手摺りにおいて、前記挿入片９は、板状フック本体１４の先端側に突設された軸状体で、上部側の径小軸部９ａと下部側の径大軸部９ｂとからなり、径小軸部９ａと径大軸部９ｂとの間に係止段部１０を形成してなることを特徴とする。
【０００８】
【０００９】
請求項３は、請求項２に記載の安全手摺りにおいて、前記径大軸部９ｂの下部側に下窄まりテーパ状の挿入ガイド部９ｏを形成してなることを特徴とする。
【００１０】
請求項４は、請求項２又は３に記載の安全手摺りにおいて、前記挿入片９は、板状フック本体８の先端側に突設された軸状体からなり、この軸状体の上部側内側面所要部を所要深さだけ切除することによって上部側の径小軸部９ａを形成し、その下部側を下部側径大軸部９ｂとし、径小軸部９ａと径大軸部９ｂとの間に係止段部１０を形成してなることを特徴とする。
【００１１】
請求項５は、請求項１に記載の安全手摺りにおいて、前記挿入片９は、板状フック本体１４の先端側に一体に延設された板状部からなり、この先端側板状部の内側端面の所要部位に係止段部１０を形成してなることを特徴とする。
【００１２】
請求項６は、請求項５に記載の安全手摺りにおいて、前記係止段部１０の下部側に係止段部側より幅の狭くなった挿入ガイド部９ｅを形成してなることを特徴とする。
【００１３】
請求項７は、請求項１〜６の何れかに記載の安全手摺りにおいて、前記固定金具１２は、フランジ４に掛止可能なコ字状枠片１９と、フランジ４に掛止されたコ字状枠片１９の上方よりコ字状枠片１２及びフランジ４の孔４ａを貫通して打ち込まれる楔片２０とからなることを特徴とする。
【発明の効果】
【００１４】
上記解決手段による発明の効果を、後述する実施形態の参照符号を付して説明すると、請求項１に係る発明の安全手摺りによれば、水平材５と斜材６，７との各枢着端部の斜材６，７側端部に係止フック８を設け、この係止フック８の先端部がフランジ４の孔４ａに対し上方より挿脱自在な挿入片９を形成し、挿入片９には、水平材５に下向きの荷重が負荷された時に水平材５が撓んで係止フック８が水平方向に変位することによりフランジ孔４ａの周縁に係止して孔４ａからの挿入片９の抜け出しを阻止する係止段部１０を設けているから、作業者が、自分の身に付けた安全帯を水平材５につないで作業を行っている時に足を滑らせるなどして足場板から墜落状態となり、その安全帯を介して水平材５に下向きの衝撃荷重Ｐが負荷されると、図５の（ｂ）に仮想線で示すように水平材５が撓んで水平材５の端部が水平方向Ｈに変位し、それにより挿入片９の係止段部１０がフランジ４の孔４ａの周縁４ａｏに係止して、孔４ａからの挿入片９の抜け出しを阻止し、それにより安全手摺りが支柱２から外れず、作業者の墜落が防止される。
【００１５】
請求項２に係る発明のように、挿入片９としては、板状フック本体１４の先端側に突設された軸状体で、上部側の径小軸部９ａと下部側の径大軸部９ｂとの間に係止段部１０を形成したものとすることができる。
【００１６】
【００１７】
請求項３に係る発明のように、請求項２に記載の径大軸部９ｂでは、その下部側に下窄まりテーパ状の挿入ガイド部９ｏを形成することによって、フランジ４の孔４ａに上方より挿入片９を挿入する際にその挿入が容易となる。
【００１８】
請求項４に係る発明のように、挿入片９としては、板状フック本体８の先端側に突設された軸状体の上部側内側面所要部を所要深さだけ切除することによって上部側の径小軸部９ａを形成し、その下部側を下部側径大軸部９ｂとして、径小軸部９ａと径大軸部９ｂとの間に係止段部１０を形成したものとすることができる。
【００１９】
請求項５に係る発明のように、挿入片９は、板状フック本体１４の先端側に一体に延設された板状部からなるもので、この板状部の内側端面の所要部位に係止段部１０を形成したものとすることができる。
【００２０】
請求項６に係る発明のように、請求項５に記載の挿入片９では、係止段部１０の下部側に狭の狭くなった挿入ガイド部９ｅを形成することによって、フランジ４の孔４ａに上方より挿入片９を挿入する際にその挿入が容易となる。
【００２１】
請求項７に係る発明のように、固定金具１２としては、フランジ４に掛止可能なコ字状枠片１９と、フランジ４に掛止されたコ字状枠片１９の上方よりコ字状枠片１２及びフランジ４の孔４ａを貫通して打ち込まれる楔片２０とからなるものとすることができる。
【発明を実施するための最良の形態】
【００２２】
以下に本発明の好適な実施形態を図面に基づき説明すると、図１の(a) は本発明に係る安全手摺り１の正面図、(b) は(a) の矢印Ａで示す部分の拡大図、(c) は(a) の矢印Ｂで示す部分の拡大図である。図２の(a-1) は安全手摺り１の使用状態を示す正面図、(a-2) は(a-1) の矢印Ｃで示す部分の拡大図、(a-3) は(a-1) の矢印Ｄで示す部分の拡大図、また(b-1) は安全手摺り１の使用状態の平面図、(b-2) は(b-1) の矢印Ｅで示す部分の拡大図、(b-3) は(b-1) の矢印Ｆで示す部分の拡大図である。図３の(a) は図１の(b) の拡大図、(b) は(a) のＧ−Ｇ線拡大断面図、(c) は(a) のＨ−Ｈ線拡大断面図であり、(d) は他の例を示す(b) と同様な断面図、(e) は(c) と同様な断面図である。
【００２３】
この安全手摺り１は、図２に示すように、順次継ぎ足しが可能で、上下方向に所定の間隔で孔４ａ付きフランジ４を固定した支柱２を足場板３が架設される間隔で立設し、隣り合う支柱２，２間に足場板３を架設して組み立てられる単管足場の組立にあたり、支柱２の孔４ａ付きフランジ４を利用して、図２の(a-1) に示すような既設の足場板３上より、図示は省略するが、これから新たに架設しようとする上段側足場板３の先行手摺りとして取り付けるようにしたもので、水平材５と、水平材５の両端部に夫々の一端部がボルト・ナット１３（ピン）により枢着され（図３の(a) 参照）、互いに交差する一対の斜材６，７とからなる。足場板３は、図２の(b-1) に概略示すように、足場板３の幅方向に隣り合う支柱２，２のフランジ４，４に連結された横ステー１８，１８間に架け渡される。
【００２４】
この安全手摺り１の水平材５と斜材６，７との各枢着端部には各斜材６，７側の端部に係止フック８が設けられ、この係止フック８の先端部はフランジ４の孔４ａに対し上方より挿脱自在な挿入片９を形成し、この挿入片９には、図５の（ｂ）に示すように、水平材５に下向きの荷重が負荷された時に水平材５が撓んで係止フック８が水平方向に変位することにより、フランジ４の孔４ａの周縁４ａｏに係止して孔４ａからの挿入片９の抜け出しを阻止するための係止段部１０が設けられている。各斜材６，７の他端部には、図４の（ａ）に示すように、フランジ４に固定可能な周知の固定金具１２が設けられている。
【００２５】
係止フック８は、図３の(a) 〜(c) に示すように、斜材６の一端部に溶接によって固定された板状フック本体１４と、この板状フック本体１４の先端側に溶接によって下向きに一体に突出するように取り付けられた軸状体からなる挿入片９とにより構成され、挿入片９は、上部側の径小軸部９ａと下部側の径大軸部９ｂとからなるもので、径小軸部９ａと径大軸部９ｂとの間に係止段部１０が形成されている。また、挿入片９の径大軸部９ｂは、その下部側が下窄まりテーパ状の挿入ガイド部９ｏを形成している。
【００２６】
係止フック８の挿入片９を板状フック本体１４に取り付けるには、図３の(a)〜(c) に一例を示すように、板状フック本体１４の先端側に挿入片９の径小軸部９ａを嵌め込み可能な開口溝１４ａを形成して、これに径小軸部９ａの上部側を嵌め込み、この嵌め込んだ径小軸部９ａをフック本体１４の開口溝１４ａ部分に溶接して固着すればよい。挿入片９を板状フック本体１４に取り付ける他の方法として、同図の(d) ，(e) に示すように、板状フック本体１４の先端側にその下端面から、径小軸部９ａを嵌め込み可能な孔１４ｏを設け、この孔１４ｏに径小軸部９ａの上部側を嵌め込んで、適宜に溶接することによって取り付けることができる。
【００２７】
各斜材６，７の他端部に設けられる固定金具１２は、図４の(a) ，(b) に示すように、支柱２のフランジ４に掛止可能なコ字状枠片１９と、フランジ４に掛止されたコ字状枠片１９の上方よりコ字状枠片１９及びフランジ４の孔４ａを貫通して打ち込まれる楔片２０とからなり、コ字状枠片１９は、ブラケット２２を介して斜材６，７の他端部に固定されるか、又は枢着される。この固定金具１２の取付けにあたっては、図示のように、コ字状枠片１９を支柱２のフランジ４に掛止させて、コ字状枠片１９の上方から楔１０をコ字状枠片１９の上下孔１９ａ，１９ａ及びフランジ４の孔４ａに貫通するように打ち込めばよい。
【００２８】
上記のような構成よりなる安全手摺り１の使用にあたっては、既に架設した下段側足場板３上において、作業者が一方の斜材６を垂直に立ち上げて、この斜材６の一端部にある係止フック８の挿入片９を、これから新たに架設しようとする上段側足場板３の架設位置よりも上方に位置する一方の支柱２のフランジ４の孔４ａに、その上方より挿入した後、他方の斜材７を同様に立ち上げて、水平材５を水平姿勢に保持した状態で、この斜材７の一端部にある係止フック８の挿入片９を対応する支柱２のフランジ４の孔４ａに挿入し、そして両斜材６，７を交差させた状態で、各斜材６，７の他端部にある固定金具１２を、各支柱２の所要高さにあるフランジ４に固定させ、図２に示すような状態とする。
【００２９】
こうして安全手摺り１を足場板３の長手方向に隣り合う支柱２，２間に架設した後に、上段側足場板３を架け渡す。この足場板３は、図２の(b-1) に概略的に示すように、足場板３の幅方向に隣り合う支柱２，２のフランジ４，４に連結された横ステー１８，１８間に架け渡すようになっている。
【００３０】
図５の(a) は、上記のようにして安全手摺り１を隣り合う支柱２，２間に架設した時に係止フック８の挿入片９がフランジ４の孔４ａに挿入した状態を示す。この挿入片９は、径大軸部９ｂの下部側が下窄まりテーパ状の挿入ガイド部９ｏを形成しているため、フランジ４の孔４ａに上方より挿入片９を挿入する際にその挿入が容易となる。
【００３１】
図５の(b) は安全手摺り１の作用、特に挿入片９の作用を示したもので、作業者が、自分の身に付けた安全帯を水平材５につないで作業を行っている時に足を滑らせるなどして足場板から墜落状態となり、その安全帯を介して水平材５に下向きの衝撃荷重Ｐが負荷されると、同図の仮想線で示すように水平材５が撓んで水平材５の端部が水平方向Ｈに変位し、それにより挿入片９の係止段部１０が同図実線図示のようにフランジ４の孔４ａの周縁４ａｏに係止して、孔４ａからの挿入片９の抜け出しを阻止し、それにより安全手摺りが支柱２から外れなくなって、作業者の墜落が防止されることになる。
【００３２】
図６の(a-1) は係止フック８の他の実施形態を示す正面図、(a-2) はその一部拡大図である。この係止フック８は、斜材６の一端部に一体に設けられた板状フック本体１４と、この板状フック本体１４の先端側に溶接により下向きに突出するように一体に取り付けられた挿入片９とで構成され、挿入片９は、上部側の径小軸部９ａと下部側の径大軸部９ｂとからなるもので、側径大軸部９ｂの上端縁部が面取りされており、その面取り部を９ｃで示す。この面取り部９ｃは、図示の状態から明らかように、係止段部１０の周縁部に形成されるものである。
【００３３】
図６の(b-1) は係止フック８の他の実施形態を示す正面図、(b-2) は(b-1) のイ−イ線拡大断面図である。この係止フック８の挿入片９は、板状フック本体１４の先端側に溶接により下向きに一体に突設された軸状体からなるもので、この軸状体の上部側内側面部を所要厚さだけ切除することによって上部側の径小軸部９ａを形成し、その下部側の非切除部分が下部側の径大軸部９ｂを形成し、しかして径小軸部９ａと径大軸部９ｂとの間に係止段部１０を形成している。また径大軸部９ｂの下部側は下窄まりテーパ状挿入ガイド部９ｏを形成している。
【００３４】
図７の(a-1) は係止フック８の他の実施形態を示す正面図、(a-2) は(a-1) のＩ−Ｉ線拡大断面図である。この係止フック８は、斜材６の一端部に一体に設けられた板状フック本体１４と、この板状フック本体１４の先端側に一体に延設された板状部からなる挿入片９とによって構成され、この板状挿入片９の内側端面の所要部位に係止段部１０を形成している。また、この係止段部１０の下部側には係止段部１０側より幅の狭くなった挿入ガイド部９ｅを形成している。
【００３５】
このように、係止フック８の挿入片９が、板状フック本体１４の先端側に連続して一体に延設された板状部からなるものであれば、フック本体１４と挿入片９とを一枚の板材によって形成できるから、製作が容易となる。
【００３６】
図７の(b-1) は係止フック８の他の実施形態を示す正面図、(b-2) は(b-1) のＪ−Ｊ線拡大断面図である。この係止フック８の挿入片９も、図７の係止フック８と同様に、板状フック本体１４の先端側に連続して一体に延設された板状部からなるもので、この板状挿入片９の内側端面の所要部位に係止段部１０を形成しており、また係止段部１０の下部側に係止段部１０側より幅の狭くなったテーパ状の挿入ガイド部９ｏを形成している。
【００３７】
図８の(a-1) は係止フック８の他の実施形態を示す正面図、(a-2) は(a-1) のＫ−Ｋ線拡大断面図である。この係止フック８は、斜材６の一端部に一体に設けられた板状フック本体１４と、この板状フック本体１４の先端側に溶接によって下向きに突出するように固着された軸状体からなる挿入片９とで構成され、挿入片９は、上部側の径小軸部９ａ及び下部側の径大軸部９ｂを形成すると共に、径小軸部９ａと径大軸部９ｂとの間に係止段部１０を形成し、また径大軸部９ｂの下部側は下窄まりテーパ状挿入ガイド部９ｏを形成し、更に側径大軸部９ｂの上端縁部は面取りされて面取り部を９ｃを形成している。この面取り部９ｃは、図示の状態から明らかように、係止段部１０の周縁部に形成されるものである。
【００３８】
図８の(b-1) は係止フック８の他の実施形態を示す正面図、(b-2) は(b-1) のＬ−Ｌ線拡大断面図である。この係止フック８は、側径大軸部９ｂの上端縁部が面取りされていない点を除き、図８の(a-1) ，(a-2) に示す係止フック８と同じである。
【００３９】
図８の(c-1) は係止フック８の他の実施形態を示す正面図、(c-2) は(c-1) のＭ−Ｍ線拡大断面図である。この係止フック８の挿入片９も、斜材６の一端部に一体に設けられた板状フック本体１４の先端側に溶接によって下向きに突出するように固着された軸状体からなるもので、この軸状体の上部側内側面の所要部を上下方向に所要長さ及び所要深さ切除することによって上部側の径小軸部９ａを形成し、その下部側を下部側の径大軸部９ｂとして、径小軸部９ａと径大軸部９ｂとの間に係止段部１０を形成し、また径大軸部９ｂの下部側が下窄まりテーパ状挿入ガイド部９ｏを形成している。
【００４０】
図８の(d-1) は係止フック８の他の実施形態を示す正面図、(d-2) は(d-1) のＮ−Ｎ線拡大断面図である。この挿入片９は、板状フック本体１４の先端側に溶接によって下向きに突出するように固着された軸状体からなり、この軸状体の上部側が径小軸部９ａを形成し、その下部側が下部側の径大軸部９ｂを形成し、径小軸部９ａと径大軸部９ｂとの間に係止段部１０を形成し、また径大軸部９ｂの下半部は下窄まりテーパ状挿入ガイド部９ｏを形成し、更に径大軸部９ｂの上端縁部は面取り部を９ｃを形成している。この面取り部９ｃは、図示の状態から明らかように、係止段部１０の周縁部に形成されるものである。
【００４１】
図９の(a) は、図８の(b-1) 及び(b-2) に示される係止フック８の挿入片９がフランジ４の孔４ａに挿入した状態を示し、図９の(b) は、その挿入片９の作用を示したもので、作業者が、自分の身に付けた安全帯を水平材５につないで作業を行っている時に足を滑らせるなどして足場板から墜落状態となり、安全帯を介して水平材５に下向きの衝撃荷重Ｐが負荷されると、仮想線図示のように水平材５が撓んで水平材５の端部が水平方向Ｈに変位し、それにより挿入片９の係止段部１０が同図実線図示のようにフランジ４の孔４ａの周縁４ａｏに係止して孔４ａからの挿入片９の抜け出しを阻止し、それにより安全手摺りが支柱２から外れなくなって、作業者の墜落が防止される。
【００４２】
【００４３】
【００４４】
【図面の簡単な説明】
【００４５】
【図１】(a) は本発明に係る安全手摺りの正面図、(b) は(a) の矢印Ａで示す部分の拡大図、(c) は(a) の矢印Ｂで示す部分の拡大図である。
【図２】(a-1) は図１に示す安全手摺りの使用状態を示す正面図、(a-2) は(a-1) の矢印Ｃで示す部分の拡大図、(a-3) は(a-1) の矢印Ｄで示す部分の拡大図、また(b-1) は安全手摺り１の使用状態の平面図、(b-2) は(b-1) の矢印Ｅで示す部分の拡大図、(b-3) は(b-1) の矢印Ｆで示す部分の拡大図である。
【図３】(a) は図１の(b) の拡大図、(b) は(a) のＧ−Ｇ線拡大断面図、(c) は(a) のＨ−Ｈ線拡大断面図、(d) は他の例を示す(b) と同様な断面図、(e) は(c) と同様な断面図である。
【図４】(a) は固定金具の取付部分の拡大正面図、(b) は平面図である。
【図５】(a) ，(b) は安全手摺りの作用を示す拡大説明図である。
【図６】(a-1) は係止フックの他の実施形態を示す正面図、(a-2) はその一部拡大図、(b-1) は係止フックの他の実施形態を示す正面図、(b-2) は(b-1) のイ−イ線拡大断面図である。
【図７】(a-1) は係止フックの他の実施形態を示す正面図、(a-2) は(a-1) のＩ−Ｉ線拡大断面図、(b-1) は係止フックの他の実施形態を示す正面図、(b-2) は(b-1) のＪ−Ｊ線拡大断面図である。
【図８】図８の(a-1) は係止フックの他の実施形態を示す正面図、(a-2) は(a-1) のＫ−Ｋ線拡大断面図、(b-1) は係止フックの他の実施形態を示す正面図、(b-2) は(b-1) のＬ−Ｌ線拡大断面図、(c-1) は係止フックの更に他の実施形態を示す正面図、(c-2) は(c-1) のＭ−Ｍ線拡大断面図、(d-1) は係止フック８の更に他の実施形態を示す正面図、(d-2) は(d-1) のＮ−Ｎ線拡大断面図である。
【図９】(a) は、図８の(b-1) 及び(b-2) に示される係止フックの挿入片がフランジの孔に挿入した状態を示す説明図、(b) はその挿入片の作用を示す説明図である。
【符号の説明】
【００４６】
１，１１          安全手摺り
２                支柱
３                足場板
４                フランジ
４ａ              フランジの孔
４ａｏ            孔の周縁
５                水平材
６，７            斜材
８                係止フック
９                挿入片
９ａ              上部側の径小軸部
９ｂ              下部側の径大軸部
９ｅ              挿入ガイド部
９ｏ              挿入ガイド部
１０              係止段部
１２              固定金具
１４              板状フック本体
【図１】
0004543095.tif 000002
【図２】
0004543095.tif 000003
【図３】
0004543095.tif 000004
【図４】
0004543095.tif 000005
【図５】
0004543095.tif 000006
【図６】
0004543095.tif 000007
【図７】
0004543095.tif 000008
【図８】
0004543095.tif 000009
【図９】
0004543095.tif 000010